(57)【要約】【課題】フォーカスノブの誤操作等を防ぎ、予期せぬフォーカス距離のズレ発生を防止することができる照準望遠鏡の提供。【解決手段】照準望遠鏡１では、フォーカス光学系が設けられたフォーカスレンズ保持筒７１を光軸方向に駆動することによりフォーカス距離の調整を行う。フォーカスノブ６０を回転するとクリック環６５およびカム環６６も一体で回転し、フォーカスレンズ保持筒７１に設けられてカム環６６のカム溝６６ｄに係合するカムピン６９を光軸方向に駆動する。フォーカスノブ６０を矢印Ｒ方向に押し下げると、フォーカスノブ６０のセレーション６０ｂとフォーカスロック環６２の爪６２ａとが係合する。その結果、フォーカスノブ６０に不必要な力が加わってもフォーカスノブ６０は回転を阻止され、フォーカス状態のズレを防止することができる。【選択図】        図５
2004150699.tif 000002
【特許請求の範囲】
【請求項１】
フォーカス光学系と、
前記フォーカス光学系を光軸方向に移動させフォーカス距離の調整を行うフォーカシング機構と、
前記フォーカス光学系の光軸方向への移動を阻止するロック機構とを備えたことを特徴とする照準望遠鏡。
【請求項２】
請求項１に記載の照準望遠鏡において、
フォーカス調整用操作部材である回転操作部材を有し、前記ロック機構は前記回転操作部材の回転を阻止することを特徴とする照準望遠鏡。
【請求項３】
請求項１または２に記載の照準望遠鏡において、
前記照準望遠鏡の光軸の方向を変更する弾着補正機構と、
前記弾着補正機構による光軸の方向の変更を行わせる補正操作部材とを備えたことを特徴とする照準望遠鏡。
【請求項４】
請求項３の照準望遠鏡において、
前記補正操作部材と前記フォーカス調整用操作部材とを近接して配設したことを特徴とする照準望遠鏡。
【発明の詳細な説明】
【０００１】
【発明の属する技術分野】
本発明は、狩猟用銃やスポーツ用銃に装備する照準望遠鏡に関する。
【０００２】
【従来の技術】
狩猟用銃やスポーツ用銃を使用する場合には、獲物や的が狙いやすいように照準望遠鏡を装着して用いるのが一般的である。ところで、所定の距離（例えば、１００ヤードや１００ｍなど）にフォーカスが固定されている照準望遠鏡では、標的の距離とフォーカス距離とが合っていないと、照準望遠鏡を覗き込む眼の位置に応じて十字スケールの位置と標的とがずれ易く、標的に照準を合わせ難くなる。そのため、フォーカス距離を所定の範囲で調整できる照準望遠鏡が提供されている。
【０００３】
フォーカス調整ができる照準望遠鏡では、フォーカス調整用の操作部（フォーカスノブ）でフォーカス距離を調整することにより、標的を正確に狙うことができる。フォーカス調整用の操作部（フォーカスノブ）は通常は照準望遠鏡本体の側面に配設されており、照準望遠鏡をのぞき込みつつフォーカスノブを操作して標的に距離を合わせる。
【０００４】
また、照準望遠鏡には弾着補正機構が設けられており、その機構の操作部である弾着補正ノブも照準望遠鏡本体の側面に配設されている。弾着補正機構は、銃身の向きと照準望遠鏡の光軸の向きとを調節する機構であり、標的距離に応じて弾着補正ノブを操作し、照準望遠鏡の仰角と偏角とを調整することにより弾着点の修正を行う（例えば、特許文献１参照。）。この場合、フォーカス距離の修正が行われると、その修正に合わせて弾着調整も行われる。
【０００５】
【特許文献１】
特開２００１−１３３６９７号公報（第３頁）
【０００６】
【発明が解決しようとする課題】
しかしながら、銃を使用している最中に不用意にフォーカスノブに触れたりして誤操作をしてしまった場合には、フォーカス距離が設定からずれてしまって再調整をしなければならなかった。例えば、照準望遠鏡を覗きながら弾着補正を行う際には弾着補正ノブとフォーカスノブとを間違えやすく、フォーカスノブを誤操作し易かった。
【０００７】
本発明の目的は、フォーカスノブの誤操作等を防ぎ、予期せぬフォーカス距離のズレ発生を防止することができる照準望遠鏡を提供することにある。
【０００８】
【課題を解決するための手段】
（１）請求項１の発明による照準望遠鏡は、フォーカス光学系と、フォーカス光学系を光軸方向に移動させフォーカス距離の調整を行うフォーカシング機構と、フォーカス光学系の光軸方向への移動を阻止するロック機構とを備えたことを特徴とする。
（２）請求項２の発明は、請求項１に記載の照準望遠鏡において、フォーカス調整用操作部材である回転操作部材を有し、ロック機構が回転操作部材の回転を阻止するようにしたものである。
（３）請求項３の発明による照準望遠鏡は、請求項１または２に記載の照準望遠鏡において、照準望遠鏡の光軸の方向を変更する弾着補正機構と、弾着補正機構による光軸の方向の変更を行わせる補正操作部材とを備えたものである。
（４）請求項４の発明は、請求項３に記載の照準望遠鏡において、補正操作部材とフォーカス調整用操作部材とを近接して配設したものである。
【０００９】
【発明の実施の形態】
以下、図を参照して本発明の実施の形態を説明する。図１は本発明による照準望遠鏡の一実施の形態を示す図であり、上半分および下半分の一部を断面で表した。照準望遠鏡１の本体内部には、対物光学系２、フォーカス光学系３、ズーム光学系４（４ａ，４ｂ，４ｃ）および接眼光学系５が設けられている。６はフォーカス光学系のフォーカシング操作を行うためのフォーカス操作部である。照準望遠鏡１を例えばライフル銃に装着する場合には、中央付近の円筒部１ａに支持部材（不図示）を取り付け、その支持部材を介してライフル銃に固定する。
【００１０】
図２は、図１の符号Ｂで示した部分の拡大図である。ズーム光学系４を構成するレンズ４ａ〜４ｃはズームレンズ保持筒１０内部に設けられており、ズーム操作部１１を回転するとレンズ４ｂ、４ｃが連動して光軸方向に移動し、倍率が変化する。ズームレンズ保持筒１０の図示右端部の符号１２で示す被支持部は球面形状になっており、ズームレンズ保持筒１０はこの被支持部１２の部分を中心に首振り運動が可能となっている。
【００１１】
《弾着補正操作部の説明》
図１，２では図示を省略したが、照準望遠鏡１は、図３の概略図に示すように弾着補正操作部１３Ａ，１３Ｂを備えている。図３は、照準望遠鏡１のフォーカス操作部６が設けられている部分を、照準望遠鏡１の前方側（図２の図示左側）から視た図であり、円筒部１ａの部分を断面で示した。図４は、フォーカス操作部６が設けられた部分を図３のｙ軸正方向から視た半断面図であり、弾着補正操作部１３Ａの詳細構造を示したものである。弾着補正操作部１３Ａ，１３Ｂは、ｚ軸方向に関してフォーカス操作部６とほぼ同一位置に設けられている。
【００１２】
弾着補正操作部１３Ａ，１３Ｂ同士は、互いの角度が９０度となるように設けられている。各弾着補正操作部１３Ａ，１３Ｂには繰り出し自在のロッド１５がそれぞれ設けられており、各ロッド１５の先端はズームレンズ保持筒１０の先端部側面に当接している。１４は円筒部１ａに設けられた板バネであり（図２参照）、図３に示すように、その取付位置は弾着補正操作部１３Ａ，１３Ｂとそれぞれ１３５度の角度で設けられている。板バネ１４の先端部はズームレンズ保持筒１０の側面に当接しており、ズームレンズ保持筒１０を円筒部１ａの中心方向に付勢している。
【００１３】
図４において、１３０は保護キャップであり、円筒部１ａに固定された弾着補正部ボディー１３１に取り付けられている。保護キャップ１３０の下端内周面に形成されたネジ部１３０ａと弾着補正部ボディー１３１の側面に形成された１３１ａとは互いに螺合しており、保護キャップ１３０を回転することにより保護キャップ１３０を弾着補正部ボディー１３１から着脱することができる。保護キャップ１３０を外すと、弾着補正ノブ１３２が露出する。弾着補正ノブ１３２は、締結部材１３３によってロッド１５に固定されている。ロッド１５の下部は弾着補正部ボディー１３１を貫通して円筒部１ａの内部に突出している。ロッド１５と弾着補正部ボディー１３１とは符号１３４で示す部分において螺合しており、弾着補正ノブ１３２を回転操作すると、ロッド１５がｘ軸方向に駆動される。なお、弾着補正操作部１３Ｂの構成は図４に示した弾着補正操作部１３Ａと同一構成であり、説明は省略する。
【００１４】
図３に戻って、弾着補正操作部１３Ａの弾着補正ノブ１３２（図４参照）を回転してロッド１５をｘ軸負方向（図３の右方向）に繰り出すと、首振り自在なズームレンズ保持筒１０は板バネ１４の付勢力に逆らってｘ軸負方向に傾く。逆に、弾着補正操作部１３Ａのロッド１５を繰り込むと、ズームレンズ保持筒１０は板バネ１４の付勢力によりｘ軸正方向に傾く。同様に、弾着補正操作部１３Ｂを操作してロッド１５の繰り出し・繰り込みを行うと、ズームレンズ保持筒１０はｙ軸方向に傾く。このような弾着補正操作により、ズーム光学系４（４ａ〜４ｃ）の光軸の方向を調整することができる。
【００１５】
《フォーカス操作部の説明》
図５および図６はフォーカス操作部６の詳細構成を示す断面図である。図５はフォーカス操作部６のフォーカスノブ６０が操作可能なロック解除状態を示しており、図６はフォーカスノブ６０が操作不可となるロック状態を示している。図５に示すように、円筒部１ａの側面には、フォーカス部ボディー６１が上述した弾着補正部ボディー１３１と同様のネジ構造により固定されている。フォーカス部ボディー６１の外側には、下部外周に爪６２ａが形成されたフォーカスロック環６２が固定されている。
【００１６】
図７はフォーカスロック環６２を示す図であり、（ａ）は平面図、（ｂ）は半断面図である。フォーカスロック環６２の内周面には雌ネジ６２ｂが形成されている。上述した爪６２ａは、フォーカスロック環６２の外周面に等間隔に６つ設けられている。フォーカスロック環６２のフォーカス部ボディー６１への固定は、フォーカスロック環６２の雌ネジ６２ｂをフォーカス部ボディー６１の雄ネジ６１ａ（図５参照）と螺合させることにより行われる。図５のフォーカスノブ６０の内側には、鋼球保持部材６３がビス６４により取り付けられている。リング状の鋼球保持部材６３の外周面には横向きの穴６３ａが形成されている。この穴６３ａに保持された鋼球６７は、圧縮バネ６８によりクリック環６５の内周面に押圧されている。
【００１７】
一体とされたクリック環６５およびカム環６６はフォーカスノブ６０とともに回転して、フォーカスノブ６０に加えられた操作力をフォーカシング機構に設けられたカムピン６９に伝達する。図８はクリック環６５の半断面図である。クリック環６５は有底円筒状の部材であって、その外周面にはカム環６６との締結に用いられる雄ネジ６５ａが形成されている。第１伝達部６５の内周面には、上述した鋼球６７が係合する溝６５ｃ、６５ｄが形成されている。また、底部内側中央に設けられた凸部６５ｅにはネジ穴６５ｂが形成されている。
【００１８】
図９はカム環６６を示す図であり、（ａ）は半断面図、（ｂ）は（ａ）のＦ矢視図である。カム環６６は有底円筒状の部材であって、上部外周面にはセレーション６６ａが形成されている。内周面には雌ネジ６６ｂが形成されており、この雌ネジ６６ｂとクリック環６５の雄ネジ６５ａと螺合させることによって、図５に示すようにクリック環６５とカム環６６とを一体に結合させる。また、底部６６ｃには、フォーカシング機構のカムピン６９が係合するカム溝６６ｄが形成されている。カム溝６６ｄは、図９（ｂ）に示すように寸法ｄ１，ｄ２がｄ１＞ｄ２のように設定された螺旋溝を形成している。
【００１９】
図１０はフォーカスノブ６０を示す図であり、（ａ）は平面図、（ｂ）は半断面図である。フォーカスノブ６０の内周面にはセレーション６０ａ，６０ｂが形成されている。図５に示すようにフォーカスノブ６０のセレーション６０ａをカム環６６のセレーション６６ａと係合させ、制限軸７０をクリック環６５の凸部６５ｅに固定することにより、フォーカスノブ６０が一体とされたクリック環６５およびカム環６６に取り付けられる。貫通穴６０ｃにはビス６４が貫挿され、貫通穴６０ｄには制限軸７０が貫挿される。
【００２０】
フォーカスノブ６０は、図５に示す寸法Ｌの範囲内で上下にスライドすることができる。図５のロック解除状態はフォーカスノブ６０が寸法Ｌだけ引き上げられた状態であり、鋼球６７は溝６５ｃ内に落ち込む。一方、図５のフォーカスノブ６０を矢印Ｒ方向に押し下げると、図６に示すロック状態となる。その結果、鋼球６７が溝６５ｄ内に落ち込むとともに、フォーカスノブ６０のセレーション６０ｂの谷部分にフォーカスロック環６２の各爪６２ａが係合する。ロック状態では爪６２ａがセレーション６０ｂに係合しているため、フォーカスノブ６０は回転が不可能な状態となる。
【００２１】
《フォーカシング機構の説明》
図２に戻って、フォーカシング機構のカムピン６９は、フォーカス光学系３のレンズを保持するフォーカスレンズ保持筒７１の後端外側面に突出して設けられ、上述したカム環６６のカム溝６６ｄに係合している。フォーカスレンズ保持筒７１の前端外側にはバネ装着筒７２が取り付けられており、このバネ装着筒７２の外周に圧縮バネ７３が装着されている。フォーカスレンズ保持筒７１は、圧縮バネ７３が装着されたバネ装着筒７２と一体で固定筒７４内に内挿される。
【００２２】
固定筒７４の前端には、圧縮バネ７３の前端部が当接するバネ押さえリング７５が取り付けられている。フォーカスレンズ保持筒７１は、圧縮バネ７３が圧縮された状態で固定筒７４内に納められており、常に圧縮バネ７３によって光軸右側方向（ｚ軸正方向）に付勢されている。フォーカスレンズ保持筒７１の中央部外側面には、ガイドピン７６が突出して設けられている。固定筒７４の側面には光軸方向に沿ってガイド穴７７が形成されており、フォーカスレンズ保持筒７１のガイドピン７６はそのガイド穴７７に係合している。
【００２３】
《フォーカス調整手順の説明》
フォーカス距離の調整を行う時以外には、図６に示すようにフォーカスノブ６０は押し下げられていてロック状態となっている。フォーカス距離の調整を行う場合には、まず、フォーカスノブ６０を引き上げて図５のようなロック解除状態とする。次に、フォーカスノブ６０を回転してフォーカスレンズ保持筒７１を光軸方向に移動してフォーカス調整を行う。
【００２４】
例えば、図９（ｂ）に示したカム溝６６ｄの場合には、カムピン６９は位置Ｇ１から位置Ｇ２まで移動することができる。カム環６６の回転中心Ｏに対して、位置Ｇ１およびＧ２の動径方向距離はそれぞれｄ１，ｄ２（ただし、ｄ１＞ｄ２）である。よって、フォーカスノブ６０を回転してカムピン６９の位置を位置Ｇ１から位置Ｇ２間で移動させると、図２のフォーカスレンズ保持筒７１はｚ軸正方向にΔ＝ｄ１−ｄ２だけ移動する。
【００２５】
フォーカスノブ６０を回転してフォーカス調整が済んだならば、フォーカスノブ６０を押し下げてロック状態とする。ロック状態では、フォーカスノブ６０のセレーション６０ｂとフォーカスロック環６２の各爪６２ａが係合し、フォーカスノブ６０の回転が阻止される。そのため、弾着補正時に誤ってフォーカスノブ６０を回転操作しようとしても回転が阻止され、誤操作を未然に防止することができる。また、運搬中などに、フォーカスノブ６０が動いてフォーカスが狂ってしまうというような不都合が生じない。
【００２６】
以上説明した実施の形態では、フォーカス調整用操作部材として回転操作部材であるフォーカスノブ６０を例に説明したが、直線状に操作する操作部材であっても良い。さらには、手動で操作するものに限らず、電動操作でフォーカス調整を行うものにも本発明は適用することができる。この場合、機械的に操作部材を操作不能としたり、電気的に操作不能状態とすることができる。
【００２７】
例えば、フォーカスノブ６０の右回転および左回転に対応した一対の操作ボタンを設け、さらに、それらの操作ボタンへの操作を無効にするロックスイッチを設ける。ロックスイッチがオフのときには、操作ボタンを押すとフォーカスが変更され、ロックスイッチがオンのときには、いずれの操作ボタンを押しても操作は無視されてフォーカス状態が変更されないようにする。
【００２８】
また、ロック機構であるセレーション６０ａと爪６２ｂとを係合させてフォーカス調整用操作部材であるフォーカスノブ６０の回転を阻止したが、操作力の伝達部であるクリック環６５やカム環６６やカムピン６９の動きを阻止するようなロック機構を設けても良い。なお、フォーカスレンズ保持筒７１，固定筒７４およびガイドピン７６はフォーカシング機構を、着弾補正ノブ１３２は補正操作部材をそれぞれ構成している。
【００２９】
【発明の効果】
以上説明したように、本発明によれば、予期せぬフォーカス距離のズレ発生を防止することができる。
【図面の簡単な説明】
【図１】本発明による照準望遠鏡の一実施の形態を示す図である。
【図２】図１の符号Ｂで示した部分の拡大図である。
【図３】照準望遠鏡１のフォーカス操作部６が設けられている部分を、照準望遠鏡１の前方側から視た図である。
【図４】図３のｙ軸正方向から視たフォーカス操作部６の部分の半断面図である。
【図５】ロック解除状態におけるフォーカス操作部６を示す断面図である。
【図６】ロック状態におけるフォーカス操作部６を示す断面図である。
【図７】フォーカスロック環６２を示す図であり、（ａ）は平面図、（ｂ）は半断面図である。
【図８】クリック環６５の半断面図である。
【図９】カム環６６を示す図であり、（ａ）は半断面図、（ｂ）は（ａ）のＦ矢視図である。
【図１０】フォーカスノブ６０を示す図であり、（ａ）は平面図、（ｂ）は半断面図である。
【符号の説明】
１  照準望遠鏡
２  対物光学系
３  フォーカス光学系
４  ズーム光学系
４ａ〜４ｃ  レンズ
５  接眼光学系
６  フォーカス操作部
１０  レンズ保持筒
１３Ａ，１３Ｂ  着弾補正操作部
１４  板バネ
１５  ロッド
６０  フォーカスノブ
６０ａ，６０ｂ  セレーション
６２  フォーカスロック環
６２ａ  爪
６５  クリック環
６６  カム環
６６ｄ  カム溝
６９  カムピン
７１  フォーカスレンズ保持筒
７３  圧縮バネ
７４  固定筒
７６  ガイドピン
７７  ガイド穴
１３２  着弾補正ノブ
【図１】
2004150699.tif 000003
【図２】
2004150699.tif 000004
【図３】
2004150699.tif 000005
【図４】
2004150699.tif 000006
【図５】
2004150699.tif 000007
【図６】
2004150699.tif 000008
【図７】
2004150699.tif 000009
【図８】
2004150699.tif 000010
【図９】
2004150699.tif 000011
【図１０】
2004150699.tif 000012